(57)【要約】      （修正有）【課題】カードの劣化が防止できる状態で保管や携行できるカードゲーム具用の包装容器およびカードゲームセットを提供する。【解決手段】カードゲームセットＧＳは、カードゲーム具Ｇとして、カードＣと、ゲーム盤Ｂとを備え、包装容器Ｐに収納された状態で、管理や保管、販売、配布される。包装容器Ｐは、略直方体箱状に形成された容器本体１０と、蓋部２０とを備えた紙製のパッケージである。容器本体１０は、カードＣをスリーブと称される袋に収納した状態で、収納できるサイズに形成されている。蓋部２０は、容器本体１０の本体底面の後端辺に、取り出し口１１を塞ぐ矩形状の蓋背面部と、本体上面１２を覆う矩形状の蓋上面部２２と、本体前面に被さる略台形状の蓋前面２３と、容器本体１０の本体底面の前端辺の切込みに挿入される差込２４とが形成されたものである。【選択図】図２
0003178360.tif 000002
【実用新案登録請求の範囲】
【請求項１】
略直方体箱状に形成された容器本体であり、矩形状のカードゲーム用のカードが重ね合わされて収納される容器本体が、前記カードをスリーブに収納した状態のサイズに形成されていることを特徴とするカードゲーム具用の包装容器。
【請求項２】
前記容器本体は、一方の長さ面が、前記カードの取り出し口となり、
前記容器本体の底面の後端辺に、前記取り出し口を塞ぐと共に、上面を覆う蓋部が設けられ、
前記容器本体の上面に、前記取り出し口に繋がる切欠き部が形成されている請求項１記載のカードゲーム具用の包装容器。
【請求項３】
前記容器本体は、長さ面および幅面の高さが、前記スリーブにそれぞれを収納した状態で重ねあわせたカードと、折り畳まれたゲーム盤と、カードゲームに関する説明書とが収納される高さに形成されている請求項１または２記載のカードゲーム具用の包装容器。
【請求項４】
矩形状のカードゲーム用のカードと、折り畳まれたゲーム盤とを備えたカードゲーム具が、前記カードのそれぞれをスリーブに収納した状態のサイズの略直方体箱状に形成された容器本体に収納されたことを特徴とするカードゲームセット。
【考案の詳細な説明】
【技術分野】
【０００１】
本考案は、カードゲームを興じるためのカードとゲーム盤を収納するためのカードゲーム具用の包装容器、およびカードゲームセットに関するものである。
【背景技術】
【０００２】
カードゲーム具は、トランプやタロットカードのように古くから親しまれているものから、キャラクターを使った対戦形式のゲームのようなものまで様々である。カードゲーム具は、袋状の包装容器に収納された状態で販売されたり、箱状容器に収納された状態で販売されたりする。
例えば、特許文献１の「戦闘シミュレーションカードゲームユニット、戦闘シミュレーションゲーム装置及びコンピュータプログラム」には、カードが５枚単位で、両端部が熱圧着された袋状のパッケージに封入された形で頒布されることが記載されている。
特許文献１に記載されているカードを封入するパッケージでは、カードを取り出した後は、廃棄されるため、カードを持ち歩くときには、収納容器（カードケース）が別に必要となる。カードケースとしては、例えば、特許文献２，３に記載された堅牢な合成樹脂製によるカードケースが知られている。
【先行技術文献】
【特許文献】
【０００３】
【特許文献１】特開２００２−６５９３７号公報
【特許文献２】特開２００６−１８７３２９号公報
【特許文献３】特開２００７−１１７１８７号公報
【考案の概要】
【考案が解決しようとする課題】
【０００４】
しかし、特許文献２，３に記載されたカードケースでは、カードを携行する際にはカードを保護できるが、プレーヤーは新たにこのカードケースを購入する必要がある。また、カードを使用する際には、カードをカードケースから取り出して遊ぶことになるため、カード同士が擦れ合ったり、汚れが付着したりして、カードが劣化するおそれがある。
【０００５】
そこで本考案は、カードの劣化が防止できる状態で保管や携行できることにより、新たに保管用や携行用のケースの購入が不要なカードゲーム具用の包装容器およびカードゲームセットを提供することを目的とする。
【課題を解決するための手段】
【０００６】
本考案のカードゲーム具用の包装容器は、略直方体箱状に形成された容器本体であり、矩形状のカードゲーム用のカードが重ね合わされて収納される容器本体が、前記カードをスリーブに収納した状態のサイズに形成されていることを特徴とする。
【０００７】
また、本考案のカードゲームセットは、矩形状のカードゲーム用のカードと、折り畳まれたゲーム盤とを備えたカードゲーム具が、前記カードのそれぞれをスリーブに収納した状態のサイズに形成された略直方体箱状の容器本体に収納されたことを特徴とする。
【０００８】
本考案によれば、カードのサイズが大きくなるスリーブに収納した状態でも、包装容器の容器本体に収納することができるので、利用者は、カードゲーム具を入手した後に、カードをスリーブへ収納して、その状態でカードを包装容器により保管したり、携行したりして、カードゲームに興じることができる。
【０００９】
前記容器本体は、一方の長さ面が、前記カードの取り出し口となり、前記容器本体の底面の後端辺に、前記取り出し口を塞ぐと共に、上面を覆う蓋部が設けられ、前記容器本体の上面に、前記取り出し口に繋がる切欠き部が形成されているのが望ましい。
容器本体の本体上面に、取り出し口に繋がる切欠き部が形成されているため、利用者が、カードを摘んだ状態で、取り出そうとしたときに、本体上面が親指の邪魔にならないので、滑りやすいスリーブに収納されたカードであっても、カードを１枚、または複数枚を、容易に取り出すことができる。
【００１０】
前記容器本体は、長さ面および幅面の高さが、前記スリーブにそれぞれを収納した状態で重ねあわせたカードと、折り畳まれたゲーム盤と、カードゲームに関する説明書が収納される高さに形成されているのが望ましい。
容器本体に、カードとゲーム盤とが同包されているため、利用者は、カードゲーム具を入手して、カードにスリーブを被せ、すぐにゲーム盤を取り出し拡げれば、カードゲームを興じることができる。また、容器本体に、スリーブを被せた状態のカードを重ねて収納することができるので、利用者は、カードにスリーブを被せたカードゲームセットを携行して、好きな場所で、カードゲームを興じることができる。
【考案の効果】
【００１１】
本考案は、サイズが大きくなるスリーブにカードを収納した状態でも、容器本体に収納することができるので、カードの劣化が防止できる状態で包装容器にてそのまま保管や携行できる。従って、本考案によれば、包装容器をそのまま流用ができるので、新たに保管用や携行用のケースの購入が不要である。
【図面の簡単な説明】
【００１２】
【図１】本考案の実施の形態に係るカードゲームセットの正面側から見た斜視図である。
【図２】図１に示すカードゲームセットの包装容器の蓋部を開いた状態の背面側から見た斜視図である。
【図３】図１に示す包装容器の展開図である。
【図４】図２に示すカードゲームセットのゲーム盤を説明するための図であり、（Ａ）はゲーム盤の平面図、（Ｂ）はゲーム盤を折り畳んだ状態の斜視図である。
【図５】カードを保護するためのスリーブを説明するための図であり、（Ａ）はカードをスリーブに入れる状態を示す図、（Ｂ）はカードをスリーブに収納して、包装容器に収納したときの状態を説明するための図である。
【考案を実施するための形態】
【００１３】
本考案の実施の形態に係るカードゲームセットおよびその包装容器を図面に基づいて説明する。図１および図２に示す本考案の実施の形態に係るカードゲームセットＧＳは、カードゲーム具Ｇとして、少なくとも、カードＣと、プレイマットと称されるゲーム盤Ｂとを備え、包装容器Ｐに収納された状態で、管理や保管、販売、配布される。
それぞれカードＣは、長さが約８．８ｃｍ、幅が約６．２ｃｍの矩形状に形成され、おもて面にゲームをするための各種の情報が表示されており、裏面に全てに統一されたデザイン画が表示されている。カードゲーム具Ｇでは、図２に示すように４０枚のカードＣが重ね合わされて、透明袋に入れられた状態で、包装容器Ｐに収納されている。
【００１４】
図４（Ａ）および同図（Ｂ）に示すゲーム盤Ｂは、おもて面にゲームについての絵柄が表示され、裏面にゲームのルールについての説明書（図示せず）が表示されている。ゲーム盤Ｂは、縦が約２５ｃｍ、横が約３５ｃｍの矩形状に形成されている。ゲーム盤Ｂは、例えば、幅方向を４等分に山谷に折り曲げ、更に、長さ方向を４等分に山谷に折り曲げることで、ほぼ輪郭形状がカードＣと同様のサイズなった状態で、包装容器Ｐに収納されている。なお、図４（Ａ）では折り位置を点線で示している。
【００１５】
図１から図３に示す包装容器Ｐは、長さが約９．５ｃｍ、幅が約７ｃｍ、高さが約３ｃｍの略直方体箱状に形成されている紙製のパッケージである。
包装容器Ｐは、容器本体１０と、蓋部２０とを備えている。
容器本体１０は、一方の長さ面（背面）が、カードＣの取り出し口１１となっている。容器本体１０の本体上面１２に、取り出し口１１に繋がる切欠き部１３が略台形状に形成されている。また、容器本体１０には、両方の本体側面１６の後端辺１６ａにフラップ１７が形成されている。
【００１６】
蓋部２０は、容器本体１０の本体底面１４の後端辺１４ａに、取り出し口１１を塞ぐ矩形状の蓋背面２１と、本体上面１２を覆う矩形状の蓋上面２２と、本体前面１５に被さる略台形状の蓋前面２３と、容器本体１０の本体底面１４の前端辺１４ｂの切込み１４ｃに挿入される差込２４とが形成されたものである。
【００１７】
容器本体Ｐの高さ（長さ面（本体前面１５）および幅面（本体側面１６）の高さ）が、スリーブにそれぞれを収納した状態で重ねあわせたカードＣと、折り畳まれたゲーム盤Ｂとが収納できる高さに形成されている。
【００１８】
この容器本体１０は、カードＣをスリーブと称される袋に収納した状態で、収納できるサイズに形成されている。ここで、スリーブについて図５（Ａ）および同図（Ｂ）に基づいて説明する。
スリーブＳは、２枚のフィルム状シートを重ね、カードＣの挿入口を残して三方を接着したカードカバーである。スリーブＳは、おもて面側が、カードＣのおもて面の表示を外部から視認できるよう透明にしたものであり、裏面は透明としたものもあるし、絵柄を付与したものもある。
【００１９】
スリーブＳは前述したように、三方を接着したものであるため、カードＣを収納したときに接着部分がカードＣより大きくなる。各種のカードは、サイズに統一された規格がないため、様々なカードごとにサイズが多少異なることがある。従って、スリーブＳは、どのカードでも収納できるよう、サイズが大きめに形成されているので、更に、カードＣより大きいサイズである。
【００２０】
カードゲーム具Ｇの利用者は、カードＣを使用してカードゲームを興じるときに、カードＣのおもて面や裏面が擦れて傷が付いたり、汚れが付着したりして、カードＣが劣化しないように、カードＣの１枚１枚を、カードゲームセットＧＳを入手した後に、新たに調達したスリーブＳに収納した状態でカードＣを使用する。
【００２１】
カードＣのサイズが大きくなるスリーブＳに収納した状態でも、容器本体１０に収納することができるので、利用者は、カードゲーム具Ｇを入手した後に、カードＣをスリーブＳへ収納して、その状態でカードＣを包装容器Ｐにより保管したり、携行したりして、カードゲームを興じることができる。従って、カードゲームセットＧＳは、新たに保管用や携行用のケースの購入が不要である。
【００２２】
また、利用者が、例えば、カードＣの下面に、取り出し口１１から人差し指を挿入し、親指でカードＣの上面を押さえ、摘んだ状態で、取り出そうとしたときに、容器本体１０の本体上面１２に、取り出し口１１に繋がる切欠き部１３が形成されているため、本体上面１２が親指の邪魔にならないので、滑りやすいスリーブＳに収納されたカードＣであっても、カードＣを１枚、または複数枚を、容易に取り出すことができる。
【００２３】
カードゲーム具Ｇは、このような包装容器Ｐに、カードＣとゲーム盤Ｂとが同包されているため、利用者は、カードゲーム具Ｇを入手して、カードＣにスリーブＳを被せ、すぐにゲーム盤Ｂを取り出し拡げれば、カードゲームを興じることができる。また、容器本体Ｐが、スリーブに収納され、重ね合わされたカードと、折り畳んだゲーム盤Ｂとを収納できる高さ、サイズに形成されているため、利用者は、別の包装容器を準備することなく、カードＣにスリーブＳを被せた状態のカードゲームセットＧＳを携行して、好きな場所で、カードゲームを興じることができる。
【００２４】
なお、本実施の形態では、カードゲーム具Ｇとして、カードＣと、ゲーム盤Ｂとを備えているが、ゲームのルールに応じて、他の部材も、包装容器Ｐに収納されていてもよい。
また、本実施の形態では、ゲーム盤Ｂの裏面がゲームに関する説明書となっているが、包装容器Ｐに収納できれば、別体としてもよい。
【産業上の利用可能性】
【００２５】
本考案は、キャラクターを使用した対戦形式のカードゲームだけでなく、トランプや占いカードなどにおいても好適である。
【符号の説明】
【００２６】
ＧＳ  カードゲームセット
Ｇ  カードゲーム具
Ｂ  ゲーム盤
Ｃ  カード
Ｐ  包装容器
１０  容器本体
１１  取り出し口
１２  本体上面
１３  切欠き部
１４  本体底面
１４ａ  後端辺
１４ｂ  前端辺
１４ｃ  切込み
１５  本体前面
１６  本体側面
１６ａ  後端辺
１７  フラップ
２０  蓋部
２１  蓋背面
２２  蓋上面
２３  蓋前面
２４  差込
Ｓ  スリーブ
【図１】
0003178360.tif 000003
【図２】
0003178360.tif 000004
【図３】
0003178360.tif 000005
【図４】
0003178360.tif 000006
【図５】
0003178360.tif 000007